(57)【特許請求の範囲】
【請求項１】
コンクリート打設用の型枠内において、外周の鉄筋と堰板間との間隔を一定に保つために縦筋に沿って設置されるスペーサであって、
縦筋に当接する縦筋当接部と、
前記縦筋当接部から延出して堰板に当接するとともに、鉛直平面に沿うように設けられて外周の縦筋と堰板との間隔を一定に保つ間隔保持部と、
横筋に当接して縦筋回りの軸回転を規制し、かつ、横筋に係合して前記縦筋当接部を支持する回転規制部と、を備え、
前記回転規制部は、前記縦筋当接部を挟んで前記間隔保持部の両側に位置するように、前記横筋の長さ方向に間隔をおいて複数配置されていることを特徴とする縦筋専用スペーサ。
【請求項２】
請求項１記載の縦筋専用スペーサであって、
前記間隔保持部は半円形状でその半円の直径に相当する部分に前記縦筋当接部が設けられ、
前記間隔保持部の堰板に向かう外周が、ほぼ円弧状となることを特徴とする縦筋専用スペーサ。
【請求項３】
請求項１または２記載の縦筋専用スペーサであって、
前記回転規制部が、横筋と当接する当接面を備え、該当接面から延出して、下方に向かうにしたがって縦筋から離れるように斜めに形成され、かつ、
前記回転規制部が、横筋に対して上方より係止されるとともに、前記縦筋もしくは縦筋当接部との間に横筋を挟むことを特徴とする縦筋専用スペーサ。
【請求項４】
請求項１から３のいずれか一つに記載の縦筋専用スペーサであって、
前記回転規制部の少なくとも横筋に係合する部分に弾性を有する腕部を備え、
横筋を押し当てると前記腕部が弾性的に押し広げられるとともに、復元力が働いて弾性的に横筋を挟持する構造であることを特徴とする縦筋専用スペーサ。
【発明の詳細な説明】
【０００１】
【発明の属する技術分野】
本発明は、コンクリート建物の躯体施工時に、外周部の鉄筋とコンクリート打設用型枠の堰板との間隔を確保するために使用されるスペーサに関する。
【０００２】
【従来の技術】
通常、鉄筋コンクリート建物の躯体施工においては、鉄筋や壁の耐久性の確保及び耐火性能の確保のために、鉄筋を覆うコンクリートの厚さ（以下、かぶり厚）を一定量以上確保する必要があり、種々のスペーサが、かぶり厚に相当する外周部の鉄筋とコンクリート打設用型枠の堰板との間に設置される。
壁・柱等の躯体施工では、図７に示すように、上下方向の縦筋１と横方向の横筋２を結束線などによって結束した鉄筋骨組みが組まれ、コンクリート打設用の型枠内に設置される。壁・柱等の鉄筋骨組みにおいては、通常、主筋となる縦筋１が、配力筋である横筋２よりも太く、各縦筋１には上下方向に適宜間隔をおいてスペーサＡが取付けられる。例えば、スペーサＡは略円盤形状で中央部に鉄筋を通す孔が設けられ、円盤面が横になるいわゆる「横使い」して取り付けられる。スペーサＡの外周には突起部５１が設けられており、その突起部５１が堰板３の内側に当たることによって、かぶり厚Ｗを一定間隔に保っている。具体的例としては、特開２０００−１４５０１９号公報、特開平０８−０２７９５６号公報などが挙げられる。
【０００３】
【発明が解決しようとする課題】
しかしながら、上記のようにスペーサを横使いで使用すると、スペーサの円盤面が、上方より打設されるコンクリートの抵抗となって、スペーサの下側へコンクリートが回りきらず、空隙・ジャンカ等が発生する場合がある。そのため、昨今ではスペーサの円盤面を縦に配置するいわゆる「縦使い」をしてコンクリートの回りを改善する傾向にある。
【０００４】
ところが、スペーサを縦使いするには、配力筋にあたる横筋にスペーサを取付けなければならない。
躯体施工においては、横筋（配力筋）が縦筋（主筋）の外側または内側に配筋・結束される二つのケースが有る。堰板を介して横筋が側圧を受ける場合、前者のケースでは、横筋が内側に配置された縦筋に支持されるために、結果的に側圧は主筋である縦筋によって支持される。しかし、後者のケースでは、横筋は縦筋の内側に配置されるので前者のように縦筋に支持されることはなく、側圧を結束線によって支えなければならない。この為に、後者のケースが多い地中に壁体等を作る場合では、土圧を受けて結束線が切れ、スペーサが所定の位置から内側にズレてしまう可能性があった。
また、横筋が縦筋より内側に配筋されるケースでは、スペーサの中心位置は縦筋に取付ける場合より型の内側に移動する為に、縦筋の直径分だけ余分に径の大きなスペーサを用意しなければならず不経済であった。
【０００５】
本発明の課題は、縦筋に対して縦使い設置する縦筋専用スペーサを提案して、コンクリート打設時の空隙・ジャンカの発生と設置位置のズレを防ぎ、コンクリート建物の躯体施工における品質向上を図ることである。
【０００６】
【課題を解決するための手段】
以上の課題を解決するために、本発明は、コンクリート打設用の型枠内において、外周の鉄筋と堰板３間との間隔を一定に保つために使用される縦筋専用スペーサＳであって、縦筋１に当接する縦筋当接部４と、前記縦筋当接部から延出して堰板に当接するとともに、鉛直平面に沿うように設けられて外周の縦筋と堰板との間隔を一定に保つ間隔保持部５と、横筋２に当接して縦筋回りの軸回転を規制し、かつ、横筋に係合して前記縦筋当接部４を支持する回転規制部６と、を備え、縦筋１に沿って設置されることを特徴とする。
【０００７】
本発明によれば、縦筋当接部が、側圧など堰板にかかる外力を縦筋に伝える。したがって、横筋が縦筋の内側に配筋されるケースであっても、外力を縦筋で支えることで、結束線の切れなどによるスペーサの設置位置のズレを防ぐことができる。また、前記間隔保持部が、鉛直面に沿うように形成されることによって、従来の円盤型スペーサを縦使いする場合と同様に、上方より打設されるコンクリートの回りを良くし、スペーサの下の空隙・ジャンカ等の発生を防ぐことができる。そして、回転規制部が、横筋方向に幅を有する当接面を設け、スペーサが、コンクリート打設時にコンクリートに押されて縦筋回りに回転しようとするモーメントを支えて回転を規制する。また、回転規制部が、例えば、横筋に上から係止する腕のように作用したり、横筋を挟持するように作用することによって、横筋に対して係合し縦方向の位置決めをする。したがって、スペーサを縦筋に対して縦使い可能になるとともに、コンクリート打設時の空隙・ジャンカの発生や設置位置のズレ等を防ぐことができる。更に、回転規制部を横筋方向に沿って延出させる量を変化させて、当接面積や、縦筋から当接位置までの距離を適宜設定するならば、使用条件に適した回転規制を付加することができる。
【０００８】
また発明は、縦筋専用スペーサであって、間隔保持部５は半円形状でその半円の直径に相当する部分に縦筋当接部４が設けられ、前記間隔保持部５の堰板３に向かう外周が、ほぼ円弧状となることを特徴とする。
【０００９】
本発明によれば、上記と同様の効果を奏するとともに、前記間隔保持部が、円弧状の外周を形成して接線上で堰板と当接することで、鉄筋骨組みの曲り角部分や、堰板を鉄筋に傾斜配置してかぶり厚を変化させるなど、縦筋と堰板とが平行でない場合でも常に一定の間隔を確保することができる。
【００１０】
また、本発明は、縦筋専用スペーサであって、前記回転規制部６が、横筋と当接する当接面６１を備え、該当接面から延出して、下方に向かうにしたがって縦筋から離れるように斜めに形成され、かつ、前記回転規制部が、横筋に対して上方より係止されるとともに、前記縦筋もしくは縦筋当接部の間に横筋を挟むことを特徴とする。
【００１１】
本発明によれば、上記と同様の効果を奏するとともに、回転規制部が、横筋にスペーサを係止する腕と同様の作用をもたらす。よって、施工現場では横筋に対して上から引っ掛けるような簡単な動作で、スペーサを縦筋に設置することができる。また、回転規制部が下方に向かうにしたがって縦筋から離れるように形成されることで、挟み込む位置によって横筋を挟む幅にバリエーションが生まれ、横筋太さの任意性に対応することができる。
【００１２】
また、本発明は、縦筋専用スペーサであって、前記回転規制部の少なくとも横筋に係合する部分に弾性を有する腕部を備え、横筋を押し当てると前記腕部が弾性的に押し広げられるとともに、復元力が働いて弾性的に横筋を挟持する構造であることを特徴とする。
【００１３】
本発明によれば、上記と同様の効果を奏するとともに、回転規制部が、弾性的に横筋を挟持することで、より強く回転ズレを規制する効果がある。また、横筋を挟持するのでスペーサが脱落しにくくなり、鉄筋骨組みを別の場所で組立て型枠内にクレーン等で移送・設置する鉄筋籠にも使用できる。
【００１４】
【発明の実施の形態】
（第１の実施形態）
以下、本発明を適用した第１の実施形態を、図１と図２を参照して、詳細に説明する。なお、第１の実施形態は、横筋２が縦筋１の内側に配筋される場合を想定する。
【００１５】
図１に示すように、第１の実施形態による縦筋専用スペーサＳは、縦筋１に当接する縦筋当接部４と、前記縦筋当接部４から延出し縦筋１と堰板３との間隔を一定に保つ間隔保持部５と、横筋２に当接して前記間隔保持部５の縦筋１回りの軸回転を規制するとともに横筋２に係合して前記縦筋当接部４を支持する回転規制部６とを備える。
【００１６】
前記縦筋当接部４は、図２に示すように、縦筋１を挿入し当接する断面Ｕ字状の溝を有する柱状体である。なお、断面形状は適宜変更しても良く、Ｕ字状断面の開口部分に弾性を備え縦筋１を弾性的に挟持する構造を有するならば、スペーサＳを縦筋１に固定できるので効果的である。
また、縦筋当接部４は、スペーサＳに任意数設けられるが複数であるならばスペーサＳの縦筋１沿いの上下両端部にそれぞれ設けると効果的である。
【００１７】
前記間隔保持部５は、図１に示すように、半径がかぶり厚さＷに相当する略半円盤体であって、前記縦筋当接部４が半円の直径に相当する部分に配置され、略半円盤状の内側にくり貫き部５２を適宜設けて強度を維持しつつ軽量化するとともに、コンクリート打設時のコンクリートの回りを良くする。
間隔保持部５は、外周で堰板３と当接するが、当接部分は躯体完成時に表面に現れるので、美観の観点から当接部分ができるだけ小さい面積になるように外周に向けて薄くなるように形成されるのが望ましい。
【００１８】
前記回転規制部６は、前記縦筋当接部４の中央より上部分に横筋２と当接する当接面６１を備え、前記当接面６１から堰板３とは反対方向に向かって延出し、下方に向かうにしたがって縦筋当接部４から離れるように斜めに形成される。回転規制部６が、縦筋当接部４の上部分から延出することで、スペーサＳの自重が横筋２回りのモーメントとなって、縦筋当接部４の下部分を縦筋１に押し付ける作用をもたらし設置姿勢を安定させる。
【００１９】
回転規制部６と縦筋当接部４との間隔は、上述のように形成されることで、当接面６１に近い上方ほど狭く、下方に向かって間隔は広くなって、端部で開口部６２を形成する。横筋２は、開口部６２から上方に導かれて横筋２の太さに適当な間隔の部分で、縦筋１を介して縦筋当接部４と回転規制部６との間に挟まれて位置決めされる。
ここで回転規制部６が、縦筋当接部４を挟んで間隔保持部５の両面にそれぞれ設けられ、横筋２に対して複数箇所で係合することで、スペーサＳが縦筋１回りに回転しようとするモーメントに効果的に抗することができる。
なお、回転規制部６は、横筋２方向の幅を増すほどスペーサＳの縦筋１回りモーメントへの抗力を増す。よって、回転規制部６の数と横筋２方向の幅の設定によって、適宜、回転規制効果を付加できる。
【００２０】
次に、設置手順を説明する。
施工現場には、従来と同様にしてコンクリート打設用の鉄筋骨組みが設置されていて、縦筋１と横筋２が結束されている箇所にスペーサＳを取付けるものとする。
先ず、縦筋専用スペーサＳの縦筋当接部４を縦筋１に沿わせるように持つ。横筋２より上側の位置の縦筋１を縦筋当接部４の溝内に当接させ、そのままの姿勢でスペーサＳを縦筋１に沿って下方にスライドし、回転規制部６の開口部６２に横筋２を導入する。横筋２は、任意の太さを有しているが、スペーサＳをさらに下方にスライドさせると、縦筋２の太さに適当な部分で回転規制部６と縦筋当接部４との間に挟み込まれて上下位置が固定される。
スペーサＳを所望する全ての箇所に取り付けられたならば、堰板３を建て込んで、打設用型枠を完成させる。
【００２１】
先に堰板３が既に建て込んである場合は、縦筋当接部４の溝内に縦筋１を当接させて、縦筋１を軸に回転させるようにして縦筋１と堰板３の間にスペーサＳを回り込ませ間隔保持部５の外周面を堰板３に当接させる。次に、縦筋１に沿って下方にスライドさせて横筋２に係合させる。
【００２２】
（第２の実施形態）
次に、本発明を適用した第２の実施形態を、図３と図４を参照して詳細に説明する。なお、第１の実施形態と同様の構成要素に対しては、同じ番号の符号を付けて重複する説明を省略する。
【００２３】
第２の実施形態においては、横筋２が縦筋１の外側に配筋される場合を想定している。
第２の実施例の縦筋専用スペーサＳは、図３に示すように、第１の実施例と同様の略半円盤状の間隔保持部５と、前記間隔保持部５の上下端部にそれぞれ設けられた縦筋当接部４ｕ・４ｄと、前記縦筋当接部４ｕ・４ｄの間に設けられた回転規制部６とを備える。
【００２４】
前記回転規制部６は、縦筋当接部４ｕの下部から間隔保持部５の略半円盤形状の内側向きすなわち堰板３側に向けて延出し、下方に向かうに従って縦筋１から離れるように斜めに形成され、ある程度延出したならば下側の縦筋保持部４ｄに向けて縦筋１に近づくようにして繋げられる。
また、回転規制部６は、縦筋当接部４ｕの下部より縦筋１に沿って下方に延出して横筋２への係合手段となる係止部６４を備え、前述の堰板３側への延出部分との間隔は、上方ほど狭く下方ほど間隔が広くなって、係止部６４の端部で開口部６３を形成する。したがって、間隔保持部５の略半円盤形状は、回転規制部６部分を内包するために、開口部６３の分だけ内側に切り欠いた形状となる。
そして、横筋２が開口部６３より回転規制部６内に導入され、前記係止部６４と前述の堰板３側への延出部分との間で、横筋２の太さに適当な部分で挟み込まれて上下方向の位置決めがされる。
回転規制部６の横筋２方向の幅については、第１の実施形態と同様にして設定される。
【００２５】
次に、設置手順を説明する。
施工現場には、従来と同様にしてコンクリート打設用の鉄筋骨組みが設置されていて、縦筋１と横筋２が結束されている箇所にスペーサＳを取付けるものとする。
先ず、縦筋専用スペーサＳの縦筋当接部４を縦筋１に沿わせるように持つ。スペーサＳの上部を手前に倒し、横筋２を開口部６３より回転規制部６内に導き入れる。次に、スペーサＳを起こして上側の縦筋当接部４ｕと下側の縦筋当接部４ｄを、縦筋１に当接する。そして、そのままの姿勢でスペーサＳを縦筋１に沿って下方にスライドし、回転規制部６内の横筋２を、前記係止部６４と前述の堰板３側への延出部分との間に挟み込まれて上下位置が固定される。
スペーサＳを所望する全ての箇所に取り付けられたならば、堰板３を建て込んで、打設用型枠を完成させる。
なお、横筋２が縦筋１の外側に配筋されているので、かぶり厚Ｗは横筋２から堰板３までの距離にあたる。したがって、横筋２の径を見込んでスペーサＳのサイズを選択する。
【００２６】
（第３の実施形態）
次に、本発明を適用した第３の実施形態を、図５と図６を参照して詳細に説明する。なお、第１の実施形態と同様の構成要素に対しては、同じ番号の符号を付けて重複する説明を省略する。
【００２７】
第３の実施形態は、横筋２が縦筋１の内側と外側のどちらに配筋された場合でも対応できる例である。
第３の実施例の縦筋専用スペーサＳは、図５に示すように、第１の実施例と同様の半円盤状の間隔保持部５と、前記間隔保持部５の上下端にそれぞれ設けられ縦筋当接部４ｕ・４ｄと、前記縦筋当接部４ｕ・４ｄの間にあって間隔保持部５の堰板３側と反対側のそれぞれに設けられた回転規制部６とを備える。
【００２８】
前記上端側の縦筋当接部４ｕは、図６に示すように、断面が略Ｃ字形状であって、縦筋の外形に対応した曲面からなる底部４３と、底部４３の両側より延出し略Ｃ字形状断面の開口部を形成するとともに弾性を有する腕部４４とを備え、縦筋１を弾性的に保持する。すなわち、縦筋当接部４ｕに縦筋１を押し当てると、前記腕部４４が弾性的に押し広げられ、縦筋１が底部４３に向け挿入される。一旦縦筋１が縦筋当接部４ｕの内側に挿入されると、腕部４４は復元力によって略Ｃ字形状断面の開口部を閉じるように作用し、内の縦筋１を弾性的に保持する。
他方の下側の縦筋当接部４ｄは、第１の実施形態と同様に溝を有すれば十分であるが、上側の縦筋当接部４ｕと同じく縦筋１を挟持するならばなお効果的でよい。
【００２９】
前記間隔保持部５は、外周面に突起部５１を設けて堰板３との当接面積をより小さくする点が、第１および第２の実施形態と異なる。
【００３０】
前記回転規制部６は、前記縦筋当接部４ｕから、堰板３側と反対側の両方それぞれに延出し、下方に向かうにしたがって縦筋１からの間隔が広がるように形成される。堰板３側の延出部分は、第２の実施形態と同様にして縦筋当接部４ｄと繋げられて開口部６３を形成する。堰板３と反対側に延出する部分は、第１の実施形態と同様にして端部で開口部６２を形成する。
これによって、横筋２が縦筋１より外側に配筋されるケースでは、堰板３側の開口部６３に横筋２を導入し、縦筋１より内側に配筋されるケースでは、開口部６２に導入する。そして、横筋2は太さに適当な位置で回転規制部６に挟まれ係合する。
【００３１】
また、回転規制部６は、上側の縦筋当接部４ｕ下部から縦筋１にそって延出する係止部６４を備え、前記係止部６４が、弾性を有してしなることで開口部６２・６３に導入される横筋２を弾性的に挟持する。
【００３２】
設置手順については、横筋２が縦筋１の内側に配筋される場合は、前述の第１の実施形態と同様に行い、内側に配筋される場合では、第２の実施形態と同様に行う。ただし、横筋２が縦筋１の外側に配筋される場合では、かぶり厚Ｗは横筋２から堰板３までの距離にあたる。したがって、横筋２の径を見込んでスペーサＳのサイズを選択する必要がある。
【００３３】
なお、上記の実施形態においては、間隔保持部５の形状も略半円盤状としたが、これに限定されるものではなく適宜変更してもよい。また、間隔保持部５のくり貫き部５２や突起部５１の数・形状についても適宜変更可能である。
【００３４】
【発明の効果】
本発明によれば、縦筋当接部４が、側圧など堰板にかかる外力を縦筋１に伝えるので、横筋２が縦筋１の内側に配筋されるケースであっても結束線の切れなどによるスペーサＳの設置位置のズレを防ぐことができる。また、前記間隔保持部５が、鉛直面に沿うように形成されることによって、上方より打設されるコンクリートの回りを良くし、スペーサＳの下の空隙・ジャンカ等の発生を防ぐ。そして、回転規制部６が、横筋２方向に幅を有する当接面を設け、スペーサＳの縦筋１回りモーメントを支えて回転を規制するとともに、横筋２に対して係合し位置決めをする。
【００３５】
また、本発明によれば、前記間隔保持部５が、円弧状の外周を形成して接線上で堰板３と当接することで、鉄筋骨組みの曲角部分や縦筋１と堰板３とが平行でない場合でも、常に一定の間隔を確保することができる。
【００３６】
また、本発明によれば、回転規制部６が、横筋２にスペーサＳを係止する腕と同様の作用をもたらす。よって、横筋２に対して上から引っ掛けるような簡単な動作で、スペーサを縦筋に設置することができる。また、回転規制部６が下方に向かうにしたがって縦筋１から離れるように形成されることで、挟み込む位置によって横筋２を挟む幅にバリエーションが生まれ、横筋２の太さの任意性に対応することができる。
【００３７】
また、本発明によれば、回転規制部６が、弾性的に横筋２を挟持することで、より強く回転ズレを規制する効果がある。
【図面の簡単な説明】
【図１】本発明を適用した第１の実施形態の縦筋専用スペーサを示す側面図である。
【図２】第１の実施形態における、縦筋専用スペーサを示す上面図である。
【図３】本発明を適用した第２の実施形態の縦筋専用スペーサを示す側面図である。
【図４】第２の実施形態における、縦筋専用スペーサを示す上面図である。
【図５】本発明を適用した第３の実施形態の縦筋専用スペーサを示す側面図である。
【図６】第３の実施形態における、縦筋専用スペーサを示すの上面図である。
【図７】従来のドーナツ型スペーサを示す斜視図である。
【符号の説明】
１    縦筋
２    横筋
３    堰板
４    縦筋当接部
５    間隔保持部
６    回転規制部
４３  底部
４４  腕部
５１  突起部
５２  くり貫き部
６１  当接部
６２  開口部
６３  開口部
６４  係止部
Ａ    スペーサ
Ｓ    縦筋専用スペーサ
【図１】
0004351400.tif 000002
【図２】
0004351400.tif 000003
【図３】
0004351400.tif 000004
【図４】
0004351400.tif 000005
【図５】
0004351400.tif 000006
【図６】
0004351400.tif 000007
【図７】
0004351400.tif 000008